(57)【要約】【課題】本発明はデータ処理システムに関し、専用のホストコンピュータを用いることなく、記憶装置と携帯端末間のデータ転送を行なうことができ、かつ携帯端末では記憶装置に記憶されたデータの再生を行なうことができるデータ処理システムを提供することを目的としている。【解決手段】無線で外部装置と交信できる携帯端末１と、所定のフォーマットでデータを記憶する記憶装置２と、該記憶装置２と前記携帯端末１間に接続され、携帯端末１からのデータを記憶装置２のデータフォーマットに変換し、或いは記憶装置２からのデータを携帯端末１のデータフォーマットに変換して携帯端末１に転送する変換ケーブル３と、により構成される。【選択図】      図１
2004229165.tif 000002
【特許請求の範囲】
【請求項１】
無線で外部装置と交信できる携帯端末と、
所定のフォーマットでデータを記憶する記憶装置と、
該記憶装置と前記携帯端末間に接続され、携帯端末からのデータを記憶装置のデータフォーマットに変換して記憶装置に転送し、或いは記憶装置からのデータを携帯端末のデータフォーマットに変換して携帯端末に転送すると共に、ソフトウェア的な変換を行なう変換ケーブルと、
により構成されるデータ処理システム。
【請求項２】
前記変換ケーブルの代わりに、赤外線又はＢｌｕｅｔｏｏｔｈ又は無線ＬＡＮ等を用いることを特徴とする請求項１記載のデータ処理システム。
【請求項３】
前記記憶装置は光ディスク装置、前記変換ケーブルは各種インタフェースに接続できるものであることを特徴とする請求項１記載のデータ処理システム。
【請求項４】
前記携帯端末がホストとなり、該携帯端末が再生可能なデータを前記変換ケーブルを介して前記記憶装置のメディアＩＤを利用して該記憶装置にデータの記憶を行なうことを特徴とする請求項２記載のデータ処理システム。
【請求項５】
前記記憶装置に記憶されたデータを、前記携帯端末からの要求により、変換ケーブルで所定のフォーマットのデータに変換し、携帯端末のディスプレイに表示し、或いは携帯端末で音楽を再生することを特徴とする請求項３記載のデータ処理システム。
【発明の詳細な説明】
【０００１】
【発明の属する技術分野】
本発明はデータ処理システムに関し、更に詳しくは携帯端末と記憶装置間を変換ケーブルで接続してデータ処理を行なうようにしたデータ処理システムに関する。
【０００２】
【従来の技術】
携帯端末を利用して情報処理を行なうシステムが知られている。例えば、携帯型情報端末に関し、携帯端末を情報機器に接続して情報機器の入出力の操作により、携帯端末の情報処理機能を使用してデータを処理し、発生したデータを記憶装置に記憶させるシステムがある（例えば特許文献１参照）。また、音楽データ取得システムに関し、データベースセンタの音楽圧縮データを受け取り、携帯電話により取り出された音楽圧縮データを記憶装置に記憶させたり、また、記憶データを読み出して送出制御を行なう制御部を備えた音楽データ取得システムがある（例えば特許文献２参照）。
【０００３】
ここで、記憶装置として光ディスク（ＭＯ）を用いた場合について説明する。ＭＯドライブに保存された各種データファイルの音楽再生、映像再生をするためには、ホストコンピュータへ接続したり、又は当該装置にマイクロコンピュータ、ディスプレイを搭載し、再生・制御している。
【０００４】
また、ＭＯドライブにデータを書き込んだり、読み出したりすることも、又は各種インタフェースコマンドの制御もホストコンピュータとの間で行なわれている。また、ＭＯ自体にはＭＯに保存されている各種データファイル（音楽ファイル、画像ファイル）を再生する機能が搭載されていないため、装置単体で音楽再生を行なう場合には、ホストコンピュータに接続して行なっている。
【０００５】
【特許文献１】
特開２００１−４３１２２号公報（第４頁、図１、図２）
【特許文献２】
特開２０００−２９３１８２号公報（第２頁、第３頁、図１）
【０００６】
【発明が解決しようとする課題】
記憶装置としてＭＯのようなストレージドライブを使用したものを用いる場合、ノートブック型やデスクトップ型のようなコンピュータに接続しないと当該データファイルの再生ができないという問題がある。
【０００７】
ＭＯは、記憶装置であることから、インタフェースを通じてホストコンピュータから指示（コマンド動作）された動作しかできないという問題がある。
【０００８】
本発明は、このような課題に鑑みてなされたものであって、専用のホストコンピュータを用いることなく、記憶装置と携帯端末間のデータ転送を行なうことができ、かつ携帯端末では記憶装置に記憶されたデータの再生を行なうことができるデータ処理システムを提供することを目的としている。
【０００９】
【課題を解決するための手段】
（１）請求項１記載の発明は、以下の通りである。図１は本発明の原理ブロック図である。図において、１は無線で外部装置と交信できる携帯端末、２は所定のフォーマットでデータを記憶する記憶装置、３は記憶装置２と前記携帯端末１間に接続され、携帯端末１からのデータを記憶装置２のデータフォーマットに変換して記憶装置２に転送し、或いは記憶装置２からのデータを携帯端末１のデータフォーマットに変換して携帯端末１に転送する変換ケーブルである。該変換ケーブル３は、データフォーマットの変換を行なうばかりではなく、携帯端末からの要求により記憶装置への指示（例えばコマンド発行）も行なう。また、ソフトウェア的な変換も行なう。
【００１０】
このように構成すれば、携帯端末１をホストとして用い、携帯端末１と記憶装置２間を接続する専用の変換ケーブル３を用いることで、専用のホストコンピュータを用いることなく、記憶装置と携帯端末間のデータ転送を行なうことができ、かつ携帯端末１では記憶装置２に記憶されたデータの再生を行なうことができる。
（２）請求項２記載の発明は、前記変換ケーブルの代わりに、赤外線又はＢｌｕｅｔｏｏｔｈ又は無線ＬＡＮ等を用いることを特徴とする。
【００１１】
このように構成すれば、前記変換ケーブルの代わりに、赤外線又はＢｌｕｅｔｏｏｔｈ又は無線ＬＡＮ等を用いて本発明のデータ処理システムを実現することができる。
（３）請求項３記載の発明は、前記記憶装置は光ディスク装置、前記変換ケーブルは各種インタフェースに接続できるものであることを特徴とする。
【００１２】
このように構成すれば、携帯端末をホストとして光ディスク装置にデータを記憶することができ、また、光ディスク装置に記憶されているデータを読み出して携帯端末で再生することができる。
（４）請求項４記載の発明は、前記携帯端末がホストとなり、該携帯端末が再生可能なデータを前記変換ケーブルを介して前記記憶装置のメディアＩＤを利用して該記憶装置にデータの記憶を行なうことを特徴とする。
【００１３】
このように構成すれば、携帯端末が再生可能なデータを、記憶装置のメディアＩＤを利用してデータの記憶を行なうことができる。ここで、メディアＩＤとは、記憶装置毎に付された固有のＩＤのことである。携帯端末は、記憶装置のメディアＩＤを確認した後でなければデータを記憶させることはできない。
（５）請求項５記載の発明は、前記記憶装置に記憶されたデータを、前記携帯端末からの要求により、変換ケーブルで所定のフォーマットのデータに変換し、携帯端末のディスプレイに表示し、或いは携帯端末で音楽を再生することを特徴とする。
【００１４】
このように構成すれば、記憶装置に記憶されたデータを、携帯端末からの要求により、該携帯端末のディスプレイに表示し、或いは該携帯端末で音楽を再生することができる。
【００１５】
この発明において、前記変換ケーブルとしてＵＳＢ変換ケーブルを用い、前記携帯端末の要求により、前記記憶装置に記憶されたＤＶＤ映画、ＤＶＤ−ＡｕｄｉｏのデータをＵＳＢ変換ケーブルを介して携帯端末に転送し、該携帯端末でデータの再生を行なうことを特徴とする。
【００１６】
このように構成すれば、変換ケーブルとしてＵＳＢ変換ケーブルを用いることにより、記憶装置に記憶されたＤＶＤ映画、ＤＶＤ−Ａｕｄｉｏのデータを携帯端末で再生することができる。
【００１７】
また、前記記憶装置として光ディスク装置を用い、該光ディスク装置に記憶された画像データを携帯端末によりＢｌｕｅｔｏｏｔｈインタフェースを用いて外部映像装置に出力させることを特徴とする。
【００１８】
このように構成すれば、光ディスク装置に記憶された画像データを外部映像装置に出力することができる。
【００１９】
また、前記光ディスク装置内にあるプレゼンテーション資料、Ｗｏｒｄ、ＥｘｃｅｌデータをＵＳＢ変換ケーブルによりｊｐｇデータに変換し、携帯端末での表示を行ない、又はそのデータをプロジェクタへ出力することを特徴とする。
【００２０】
このように構成すれば、光ディスク装置内にあるデータをｊｐｇデータに変換して携帯端末での表示、又はプロジェクタへ出力することができる。
【００２１】
また、前記携帯端末内に常備されているビデオカメラからのデータ、音楽配信データ、留守録データ、着メロデータをＵＳＢ変換ケーブルを介して光ディスク装置に記憶することを特徴とする。
【００２２】
このように構成すれば、光ディスク装置に携帯端末からのビデオデータを含む各種データを記憶させることができる。
【００２３】
また、前記携帯端末を介して取り込むＷｅｂデータ、ＦＡＸデータ、音声データ、留守録データをＵＳＢ変換ケーブルを介して光ディスク装置に記憶し、記憶されたデータをＵＳＢ変換ケーブルを介して携帯端末で再生することを特徴とする。
【００２４】
このように構成すれば、携帯端末からの各種データを光ディスク装置に記憶し、記憶されたデータを携帯端末で再生することができる。
【００２５】
また、前記携帯端末よりＦＡＸデータを受信し、変換ケーブルを介して光ディスク装置に記憶し、記憶したＦＡＸデータを携帯端末のディスプレイに表示することを特徴とする。
【００２６】
このように構成すれば、ＦＡＸデータを光ディスク装置に記憶し、記憶したＦＡＸデータを携帯端末に表示することができる。
【００２７】
また、前記光ディスク装置とディジタルカメラをＵＳＢ変換ケーブルを介して携帯端末と接続し、前記ディジタルカメラからのデータをＵＳＢ変換ケーブルを介して光ディスク装置に記憶し、かつ当該データを携帯端末のディスプレイに表示することを特徴とする。
【００２８】
このように構成すれば、ディジタルカメラからのデータを光ディスク装置に記憶し、かつ該データを携帯端末に表示することができる。
【００２９】
また、前記携帯端末に送信されてくる電子メールや添付ファイルをＵＳＢ変換ケーブルを介して光ディスク装置に記憶し、かつ受信済み添付ファイルの内容を読み出して携帯端末のディスプレイに表示することを特徴とする。
【００３０】
このように構成すれば、電子メール又は添付ファイルの内容を携帯端末に表示することができる。
【００３１】
また、前記変換ケーブルにキーボードを接続し、キーボードと携帯端末間を接続することにより、キーボードから携帯端末を操作することを特徴とする。
【００３２】
このように構成すれば、キーボードから携帯端末を操作することができる。
【００３３】
また、前記携帯端末に簡易カラオケ機能を搭載し、光ディスク装置から音楽データをＵＳＢ変換ケーブルを介して携帯端末に転送し、該携帯端末にて音と映像を再生することを特徴とする。
【００３４】
このように構成すれば、携帯端末を用いた簡易カラオケを実現することができる。
【００３５】
【発明の実施の形態】
以下、図面を参照して本発明の実施の形態例を詳細に説明する。
【００３６】
図２は本発明の一実施の形態例を示すブロック図である。図１と同一のものは、同一の符号を付して示す。図において、１は携帯端末、２は記憶装置としての光ディスク装置（ＭＯ）、３ａは携帯端末１とＭＯ２との間に接続される変換ケーブルの主要部であるＵＳＢデータ転送変換器である。ＭＯ２には、ＡＣ入力部２５を介して電源が供給される。この場合には、ＭＯ２からＵＳＢデータ変換器３ａに対しても電源を供給することができる。
【００３７】
携帯端末１としては、ここでは携帯電話機が用いられている。携帯端末１において、１１は全体の動作を制御するＣＰＵ、１２はデータを記憶するメモリ、１３は数字、各種のコマンドを入力するファンクションキー、１４は各種情報を表示するディスプレイ、１５は携帯端末１を動作させるプログラムである。
【００３８】
ＵＳＢデータ転送変換器３ａにおいて、３１は全体の動作を制御するＣＰＵ、３２は携帯端末１からのデータをＭＯ２のフォーマットに変換し、又はＭＯ２からのデータを携帯端末１のフォーマットに変換するフォーマット変換部である。３３はデータを記憶するメモリ、３４は回路を動作させる電源である。該電源３４へのパワーは携帯端末１より供給される。即ち、携帯端末１から供給されるパワーを受けて電源３４が形成される。
【００３９】
ここで、変換ケーブル３としてＵＳＢ変換ケーブルを用いたが、本発明はこれに限るものではない。該変換ケーブル３は、各種のインタフェースに接続できるものであることが必要である。この結果、携帯端末１をホストとして光ディスク装置２にデータを記憶することができ、また、光ディスク装置２に記憶されているデータを読み出して携帯端末１で再生することができる。
【００４０】
２１は携帯端末１とＵＳＢデータ転送変換器３ａ間を接続するケーブル、２２はＭＯ２とＵＳＢデータ転送変換器３ａ間を接続するケーブルである。ケーブル２１，２２とＵＳＢデータ転送変換器３ａとで、図１の変換ケーブル３を構成している。このように構成された装置の動作を説明すれば、以下の通りである。
【００４１】
先ず、ファンクションキー１３を用いてＭＯ２へのデータ転送コマンドを発行する。ＣＰＵ１１は、このコマンドを受けると、携帯端末１のメモリ１２に記憶されていたデータを読み出してＵＳＢデータ転送変換器３ａに転送する。ＵＳＢデータ転送変換器３ａでは、ＣＰＵ３１が携帯端末１からのデータを受信すると、フォーマット変換部３２を起動する。
【００４２】
ＣＰＵ３１はＭＯ２にアクセスして、当該ＭＯ２に記録されているメディアＩＤを読み出す。そして、読み出したメディアＩＤが予め登録されているものであることを認識する。読み出したメディアＩＤが予め登録されているものでなければデータを記憶させることはできない。このように、メディアＩＤの確認をすることで、安全にＭＯ２へのデータの記憶を行なうことができる。
【００４３】
この結果、携帯端末１から転送されてきたデータは、フォーマット変換部３２でＭＯ２に記憶されるデータフォーマットに変換される。変換されたデータは、ＭＯ２に転送され、ＭＯ２に記憶される。
【００４４】
また、携帯端末１からデータ要求を送出すると、この要求はＵＳＢ変換ケーブル３に通知される。ＵＳＢデータ転送変換器３ａでは、ＣＰＵ３１がこのデータ要求を受け取ると、ＭＯ２にアクセスし、ＭＯ２の該当記憶領域に記憶されているデータを読み出し、フォーマット変換部３２で携帯端末１側のデータフォーマットに変換し、携帯端末１に送る。携帯端末１では、送られてきたＭＯ２のデータを一旦メモリ１２に記憶させる。メモリ１２に記憶されたデータは、読み出されてディスプレイ１４に表示され、或いは音声としてスピーカ（図示せず）から再生される。
【００４５】
図３は本発明の第１の構成例を示す図である。図２と同一のものは、同一の符号を付して示す。図に示す装置は、携帯端末１とＭＯ２がＵＳＢデータ転送変換器３ａを介して接続された例を示している。３はＵＳＢ変換ケーブルである。図４は図３に示す装置の動作を示すフローチャートである。以下、フローチャートを用いて説明する。以下、ＵＳＢデータ転送変換器を▲１▼、ＭＯ２を▲２▼、携帯端末１を▲３▼として説明する。
【００４６】
▲１▼と▲３▼間においては、携帯端末の独自通信方式とデータ転送及びフォーマットを▲１▼でＦＡＴ・ＵＳＢ等に変換する。また、▲１▼と▲２▼間においては、データの制御は▲１▼が行ない、データの転送等を行なうための指示操作は▲３▼のディスプレイ又はキーを使用して行なう。
【００４７】
先ず、▲３▼よりバックアップするデータをＭＯ▲２▼に送る操作を▲３▼に搭載されているソフト及びキーで行なう。当該操作は▲１▼に指示がでる（Ｓ１）。次に、▲２▼と▲３▼に▲１▼のケーブルを接続する（Ｓ２）。▲１▼は接続されたことにより、▲３▼のファイル情報と▲２▼のファイル情報等をコマンド発行等により入手する（Ｓ３）。
【００４８】
次に、▲３▼のディスプレイに▲３▼→▲２▼へのコピー又は▲２▼→▲３▼へのコピーを行なうのかどうかを表示する（Ｓ４）。次に、▲３▼→▲２▼を選択することにより、▲１▼にその指示を送出し、次にバックアップするデータを携帯端末のディスプレイに表示し、それをファンクションキー１３（図２参照）で選択する（Ｓ５）。
【００４９】
次に、▲１▼は上記で選択されたファイル詳細情報を入手し、▲３▼にデータ転送の指示を行なう（Ｓ６）。▲３▼はデータを▲１▼に送信する（Ｓ７）。ここで、送信するデータは携帯端末から送出するフォーマットデータである。次に、▲１▼は当該データをＭＯ▲２▼に転送するが、上記フォーマットより、例えばＵＳＢドライブに転送のためにＦＡＴ等で書き込み管理ができるように変換し送信する（Ｓ８：データ通信フォーマットの変換）。ここで、ＦＡＴとはＦｉｌｅ  ＡｌｌｏｃａｔｉｏｎＴａｂｌｅ（デスク上のファイルの位置を管理するテーブル）のことである。
【００５０】
次に、▲３▼は▲２▼が書き込み完了したことを▲１▼を通じてコマンドを発行し確認する（Ｓ９）。次に▲１▼は▲３▼にバックアップの報告を行ない、ディスプレイにそのメッセージを表示する（Ｓ１０）。以上の工程により▲２▼にコピーのバックアップ（記憶）が終了する（Ｓ１１）。
【００５１】
このように、本発明によれば、携帯端末１をホストとして用い、携帯端末１と記憶装置２間を接続する専用の変換ケーブル３を用いることで、専用のホストコンピュータを用いることなく、記憶装置２と携帯端末１間のデータ転送を行なうことができ、かつ携帯端末１では記憶装置２に記憶されたデータの再生を行なうことができる。
【００５２】
次に、図３に示す構成での動作を更に詳細に説明する。▲３▼は▲１▼のケーブルが接続されたことによる自動認識手段を有し、且つバックアップ専用のソフトウェアを具備し、及び▲１▼が▲３▼又は▲２▼より入手したファイル情報を上記専用のソフトウェアにより▲３▼のディスプレイにその表示を行なうことを可能としている。
（ａ）専用のＵＳＢ変換ケーブルが接続されたことにより携帯端末▲３▼はそのことを自動認識し、当該プログラム１５（図２参照）を起動する。
（ｂ）次に、データのコピー方向を携帯端末▲３▼に選択できるように表示する。
（ｃ）▲３▼→▲２▼方向を選択した場合、その表示を▲３▼から▲１▼に送出し、▲１▼は専用のプログラムにより、▲３▼に▲３▼と▲２▼の収集済みファイルデータ情報を送出し、携帯端末▲３▼のディスプレイに表示する。
（ｄ）▲３▼は（ｃ）で入手した情報を参照し、全ての情報が▲２▼に記憶できるかの有無を計算し、表示する。
（ｅ）データの記憶を開始する指示を携帯端末▲３▼のディスプレイ１４（図２参照）に表示されている内容に従い、ファンクションキー１３からキー操作を行ない、▲１▼にその指示を送出する。
（ｆ）▲１▼はその指示を貰い、▲３▼に記憶するためのデータの送出を要求する。
（ｇ）▲１▼は転送されてきた携帯端末▲３▼のデータフォーマットを▲３▼のＦＡＴ等のファイル構造に変換し、▲２▼に変換データの送出を行なう。
（ｈ）全てのデータ変換・送出が完了したら、▲１▼は▲３▼に完了通知を報告し、▲３▼はその内容をディスプレイ１４に表示する。
（ｉ）もし、エラーが出た場合には、そのエラー内容をディスプレイ１４に表示する。
（ｊ）全ての記憶操作を完了したならば、▲３▼より▲１▼のケーブルを外す。外したことにより、▲３▼の専用プログラムを終了する。
【００５３】
また、発明によれば、ＭＯ２に記憶されたデータを、携帯端末１からの要求により、ＵＳＢ変換ケーブル３で所定のフォーマットのデータに変換し、携帯端末１のディスプレイに表示し、或いは携帯端末１で音楽を再生することができる。その結果、記憶装置に記憶されたデータを、携帯端末１からの要求により、携帯端末１のディスプレイに表示し、或いは携帯端末１で音楽を再生することができる。
【００５４】
図５は本発明の第２の構成例を示す図である。図３と同一のものは、同一の符号を付して示す。ＭＯ２と携帯端末１間には、ＵＳＢ変換ケーブル３が接続されている。３ａは変換ケーブルの構成要素であるＵＳＢデータ転送変換器である。４はＭＯ２を駆動するバッテリーである。
【００５５】
電源ストリップ６にはＡＣ入力部２５からＡＣ入力が供給されるようになっている。該電源ストリップ６には複数のコンセントが設けられており、このコンセントにＡＣ／ＤＣ変換器５を差し込む。電源ストリップ６からの交流電圧は、ＡＣ／ＤＣ変換器５により直流電圧に変換され、バッテリー４を充電する。バッテリー４はＡＣ電源でもＤＣ電源でも動作可能になっている。７はホストコンピュータであり、ＵＳＢＨＵＢ７を介してＭＯ２と接続されている。
【００５６】
ＭＯ２には、ｂａｒｅ  ＋ＵＳＢ／ＩＥＥＥ１３９４のバッテリー駆動が可能なものを準備する。また、ＭＯ２で音楽を聴いたり動画を見るのは不可能なので、ＵＳＢ変換ケーブル３を使用して携帯端末１にデータを送信し、携帯端末１側で動画又は音楽の再生を行なうようにする。
【００５７】
また、ＭＯ２は、図に示すようにパソコン７にも接続できるようにする。この結果、携帯対応のソフトウェアを作成し、携帯端末１の全データの管理を、パソコン７とＭＯ２、ＭＯ２と携帯端末１のルートで行なうことができるようになる。
【００５８】
このように構成された装置で、携帯端末１からＭＯ２へは、ＵＳＢ変換ケーブル３を用いたＭＯ２のメディアＩＤを利用したセキュリティ通信を行なう。そして、携帯端末１からＭＯ２側へは、音楽（ＭＰ３）、動画、ｉｍｏｄｅ、アドレス帳、電話帳、着信音、メール、携帯端末の全データが転送され、記憶される。
【００５９】
図６は本発明の第３の構成例を示す図である。図３と同一のものは、同一の符号を付して示す。図において、１７は携帯端末１に装着され、各種のデータを記憶するメモリカード、１８は携帯端末１で再生される音楽をモニタするイアホンである。２５は光ディスク装置（ＭＯ）２に装着される光ディスクである。
【００６０】
このように構成された装置において、携帯端末１は無線で音楽データを受信し、メモリカード１７に記憶する。該携帯端末１は、メモリカード１７に記憶された音楽データをメディアＩＤ付きでＭＯ２に転送し、光ディスク２５に記憶させる。光ディスク２５に記憶された音楽データは、携帯端末１からの要求によりＵＳＢ変換ケーブル３を介して携帯端末１側に送られ、携帯端末１で再生される。再生される音楽は、イアホン１８で聴くことができる。以上、音楽データの再生の場合について説明したが、映像データについても同様である。
【００６１】
図７は本発明の第４の構成例を示す図である。図６と同一のものは、同一の符号を付して示す。図において、４０は外部に設けられたビデオ映像再生用のプロジェクタである。携帯端末１とプロジェクタ４０は無線で接続される。
【００６２】
このように構成された装置において、ＭＯ２には音楽データ、画像データが記憶されているものとする。携帯端末１からの要求によりＭＯ２に記憶されているＤＶＤ映画、ＤＶＤ−Ａｕｄｉｏ等のデータをＵＳＢ変換ケーブル３で携帯端末１側に転送し、携帯端末１側で映像及び音声の再生を行なう。
【００６３】
携帯端末１で受信した画像データをＢｌｕｅｔｏｏｔｈ等のインタフェースを用いて外部映像投影装置（プロジェクタ）４０に送出する。プロジェクタ４０では、映像と音声を再生することができる。なお、携帯端末１で受信した情報は、画像データのみならず、ビデオ信号やマルチメディアデータを用いることができる。
【００６４】
このように構成すれば、ＭＯ２に記憶されたＤＶＤ映画、ＤＶＤ−Ａｕｄｉｏのデータを携帯端末１で再生することができる。
【００６５】
また、ＭＯ２内にあるプレゼンテーション資料（ｐｐｔ）、Ｗｏｒｄ、Ｅｘｃｅｌデータ等をＵＳＢ変換ケーブル３により表示が簡単なｊｐｇファイルに変換し、携帯端末１での表示を行ない、またそのデータをプロジェクタ４０に出力する。
【００６６】
このようにすれば、ＭＯ２に記憶された画像データを外部映像装置に出力することができる。
【００６７】
また、ＭＯ２内にあるプレゼンテーション資料（ｐｐｔ）、Ｗｏｒｄ、ＥｘｃｅｌデータをＵＳＢ変換ケーブル３により表示が簡単なｊｐｇファイルに変換し、携帯端末１での表示を行ない、又はプロジェクタ４０へ出力することができる。
【００６８】
図８は本発明の第５の構成例を示す図である。図６と同一のものは、同一の符号を付して示す。図において、１９は携帯端末１に内蔵されているビデオカメラである。携帯端末１とＭＯ２とはＵＳＢ変換ケーブル３で互いに接続されている。１７は携帯端末１に装着されるメモリカード、２５はＭＯ２に装着される光ディスクである。
【００６９】
携帯端末１からリアルタイムに送信されてくる映像データは、メディアＩＤ付きでＭＯ２にバックアップ（記憶）される。即ち、携帯端末１内にある各種データの保存や、携帯端末１に設けられているビデオカメラ１９からの映像データの保存、音楽配信、留守録済みデータ、着メロ等をＵＳＢ変換ケーブル３を介してＭＯ２に記憶する。ここで、携帯端末１を留守モードに設定しておけば、携帯端末１のデータを自動的にＭＯ２に転送することができる。
【００７０】
このようにすれば、光ディスク装置（ＭＯ）２に携帯端末１からのビデオデータを含む各種データを記憶させることができる。
【００７１】
この実施例によれば、携帯端末１に送信されてくる大容量の電子メールや添付ファイルをＵＳＢ変換ケーブルを介して直接ＭＯ２に記憶することができる。また、受信済み添付ファイルの参照をＵＳＢ変換ケーブル３を介して携帯端末に送出し、ディスプレイに表示させることができる。
【００７２】
また、携帯端末１を介して取り込むＷｅｂデータ、ＦＡＸデータ、音声（携帯会話）データ、留守録データを直接ＵＳＢ変換ケーブル３を介してＭＯ２に記憶させることができる。記憶されたデータは、ＵＳＢ変換ケーブル３を介して携帯端末１で再生することができる。
【００７３】
このようにすれば、携帯端末１からの各種データを光ディスク装置（ＭＯ）２に記憶し、記憶されたデータを携帯端末１で再生することができる。
【００７４】
また、ＦＡＸデータをＭＯ２に記憶し、記憶したＦＡＸデータを携帯端末１に表示することができる。
【００７５】
図９は本発明の第６の構成例を示す図である。図３と同一のものは、同一の符号を付して示す。図において、４５はディジタルカメラである。該ディジタルカメラ４５はＵＳＢ変換ケーブル３を介してＭＯ２と接続されている。また、ＵＳＢ転送変換器３ａには、携帯端末１が接続されている。つまり、携帯端末１とＭＯ２とディジタルカメラ４５とがＵＳＢ変換ケーブル３を介して相互に接続されている。このように構成された装置の動作を、図１０に示すフローチャートを用いて以下に説明する。
【００７６】
以下の説明では、携帯端末１を▲３▼、ＵＳＢ変換ケーブル３を▲１▼、ＭＯ２を▲２▼、ディジタルカメラ４５を▲４▼として説明する。先ず、▲２▼と▲４▼に▲１▼のケーブルを接続し、また▲３▼と▲１▼とを接続する（Ｓ１）。▲１▼は接続されたことにより、▲３▼の情報と▲４▼のファイル（データ）情報等をコマンド発行等により入手する（Ｓ２）。
【００７７】
▲３▼は接続されたことにより、▲１▼が収集した▲２▼と▲４▼のファイル情報等を取り、表示することも可能とする（Ｓ３）。▲３▼のディスプレイに▲４▼→▲２▼へのコピー、又は▲２▼→▲４▼へのコピーを行なうのかを表示する（Ｓ４）。ここで、オペレータが▲４▼→▲２▼を選択することにより、▲１▼にその指示を送出し、次にバックアップするデータを携帯端末１のディスプレイに表示し、それをファンクションキー１３（図２参照）で選択する（Ｓ５）。なお、ステップＳ４の後に、ファイルコピーを行なわず、▲４▼→▲３▼又は▲２▼→▲３▼へのルートでデータの表示（プレビュー）をする（Ｓ８）シーケンスが入ってもよい。
【００７８】
▲１▼は上記で選択されたファイル詳細情報を入手し、▲４▼にデータ転送の指示を出す（Ｓ６）。これにより、▲２▼に▲４▼からのデータが記憶（バックアップ）される。▲４▼から▲１▼（そして▲２▼）にデータが転送される時、同じデータ（例ｊｐｇファイル）を▲３▼にも送信することにより、携帯端末１にディジタルカメラの撮影データを表示する（Ｓ７）。このようにして、ディジタルカメラ４５からＭＯ２へのデータコピーが可能となる。また、該データを携帯端末１に表示することができる。
【００７９】
今までは、ディジタルカメラの画像データをパソコンでバックアップしていたものが、ＭＯ２を携帯端末１から直接バックアップすることが可能となる。また、携帯端末１とディジタルカメラ４５を専用のケーブル３で接続することにより、ディジタルカメラ４５にディジタルカメラのデータを送出できることから、データの閲覧や取り込んだデータの保存等が可能となる。
【００８０】
映像情報をファイル情報から推測することは難しく、コピーすべきデータを容易に認識できない。これを携帯端末を使用しながら、その映像プレビューを可能にすることにより、利便性を上げることができる。
【００８１】
図１１は本発明の第７の構成例を示す図である。図９と同一のものは、同一の符号を付して示す。この実施の形態例は、携帯端末１とディジタルカメラ４５間を第１のＵＳＢ変換ケーブル３Ａで接続し、更にディジタルカメラ４５とＭＯ２間を第２のＵＳＢ変換ケーブル３Ｂで接続したものである。３ａは、それぞれの変換ケーブル３Ａ、３Ｂ内に設けられたＵＳＢデータ転送変換器である。
【００８２】
変換ケーブルでは、ファイルフォーマット変換が可能であるから、プレビュー画像を容易に作りだし、携帯端末に表示させることが可能である。
【００８３】
このように構成された装置において、ディジタルカメラ４５で撮影された画像データは、ＵＳＢ変換ケーブル３Ｂ内のＵＳＢデータ転送変換器３ａによりＭＯ２に転送され、ＭＯ２に記憶される。また、ディジタルカメラ４５で撮影された画像データは、ＵＳＢ変換ケーブル３Ａ内のＵＳＢデータ転送変換器３ａにより携帯端末１に転送され、ディジタルカメラ４５で撮影した画像データを直接携帯端末１のディスプレイに表示することが可能となる。
【００８４】
本発明によれば、携帯端末１に送信されてくる電子メールや添付ファイルをＵＳＢ変換ケーブル３を介して光ディスク装置２に記憶し、かつ受信済み添付ファイルの内容を読み出して携帯端末１に表示することもできる（図３参照）。この結果、電子メール又は添付ファイルの内容を携帯端末１に表示することができる。
【００８５】
図１２は本発明の第８の構成例を示す図である。図３と同一のものは、同一の符号を付して示す。この実施の形態例は、ＵＳＢ変換ケーブル３にキーボード５０を接続して携帯端末１と接続したものである。携帯端末１のファンクションキー１３のみでは、キー数が少ないため、容易に文字入力ができない状況にあったが、この実施の形態例のように構成すれば、ＵＳＢ変換ケーブル３によりキーボード５０と携帯端末１を接続することで、携帯端末１に付属のファンクションキー１３以外のキーボード５０から操作コマンドを携帯端末１に通知することができ、携帯端末１を操作することができる。
【００８６】
本発明によれば、携帯端末１にカラオケ機能を搭載し、光ディスク装置から音楽データをＵＳＢ変換ケーブル３を介して携帯端末１に転送し、該携帯端末１にて音と映像を再生することができる。従来は専用装置やパソコンを用いたカラオケだったものが、携帯端末１を利用して簡易カラオケを実現することができる。
【００８７】
上述の実施の形態例では、記憶装置として光ディスク装置を、変換ケーブルとしてＵＳＢ変換ケーブルを用いた場合を例にとったが、本発明はこれに限るものではなく、その他の種類の記憶装置、変換ケーブルを使用することが可能である。また、変換ケーブルの代わりに、赤外線又はＢｌｕｅｔｏｏｔｈ又は無線ＬＡＮ等を用いることができる。また、携帯端末も携帯電話に限るものではなく、他の種類の携帯機器を使用することができる。
【００８８】
（付記１）  無線で外部装置と交信できる携帯端末と、
所定のフォーマットでデータを記憶する記憶装置と、
該記憶装置と前記携帯端末間に接続され、携帯端末からのデータを記憶装置のデータフォーマットに変換し、或いは記憶装置からのデータを携帯端末のデータフォーマットに変換して携帯端末に転送すると共にソフトウェア的な変換を行なう変換ケーブルと、
により構成されるデータ処理システム。
【００８９】
（付記２）  前記変換ケーブルの代わりに、赤外線又はＢｌｕｅｔｏｏｔｈ又は無線ＬＡＮ等を用いることを特徴とする付記１記載のデータ処理システム。
【００９０】
（付記３）  前記記憶装置は光ディスク装置、前記変換ケーブルは各種インタフェースに接続できるものであることを特徴とする付記１記載のデータ処理システム。
【００９１】
（付記４）  前記携帯端末がホストとなり、該携帯端末が再生可能なデータを前記変換ケーブルを介して前記記憶装置のメディアＩＤを利用して該記憶装置にデータの記憶を行なうことを特徴とする付記３記載のデータ処理システム。
【００９２】
（付記５）  前記記憶装置に記憶されたデータを、前記携帯端末からの要求により、変換ケーブルで所定のフォーマットのデータに変換し、携帯端末のディスプレイに表示し、或いは携帯端末で音楽を再生することを特徴とする付記４記載のデータ処理システム。
【００９３】
（付記６）  前記変換ケーブルとしてＵＳＢ変換ケーブルを用い、前記携帯端末の要求により、前記記憶装置に記憶されたＤＶＤ映画、ＤＶＤ−ＡｕｄｉｏのデータをＵＳＢ変換ケーブルを介して携帯端末に転送し、該携帯端末でデータの再生を行なうことを特徴とする付記５記載のデータ処理システム。
【００９４】
（付記７）  前記記憶装置として光ディスク装置を用い、該光ディスク装置に記憶された画像データを携帯端末によりＢｌｕｅｔｏｏｔｈインタフェースを用いて外部映像装置に出力させることを特徴とする付記６記載のデータ処理システム。
【００９５】
（付記８）  前記光ディスク装置内にあるプレゼンテーション資料、Ｗｏｒｄ、ＥｘｃｅｌデータをＵＳＢ変換ケーブルによりｊｐｇデータに変換し、携帯端末での表示を行ない、又はそのデータをプロジェクタへ出力することを特徴とする付記６記載のデータ処理システム。
【００９６】
（付記９）  前記携帯端末内に常備されているビデオカメラからのデータ、音楽配信データ、留守録データ、着メロデータをＵＳＢ変換ケーブルを介して光ディスク装置に記憶することを特徴とする付記７記載のデータ処理システム。
【００９７】
（付記１０）  前記携帯端末を介して取り込むＷｅｂデータ、ＦＡＸデータ、音声データ、留守録データをＵＳＢ変換ケーブルを介して光ディスク装置に記憶し、記憶されたデータをＵＳＢ変換ケーブルを介して携帯端末で再生することを特徴とする付記６記載のデータ処理システム。
【００９８】
（付記１１）  前記携帯端末よりＦＡＸデータを受信し、変換ケーブルを介して光ディスク装置に記憶し、記憶したＦＡＸデータを携帯端末のディスプレイに表示することを特徴とする付記１０記載のデータ処理システム。
【００９９】
（付記１２）  前記光ディスク装置とディジタルカメラをＵＳＢ変換ケーブルを介して携帯端末と接続し、前記ディジタルカメラからのデータをＵＳＢ変換ケーブルを介して光ディスク装置に記憶し、かつ当該データを携帯端末のディスプレイに表示することを特徴とする付記１０記載のデータ処理システム。
【０１００】
（付記１３）  前記携帯端末に送信されてくる電子メールや添付ファイルをＵＳＢ変換ケーブルを介して光ディスク装置に記憶し、かつ受信済み添付ファイルの内容を読み出して携帯端末のディスプレイに表示することを特徴とする付記１０記載のデータ処理システム。
【０１０１】
（付記１４）  前記変換ケーブルにキーボードを接続し、キーボードと携帯端末間を接続することにより、キーボードから携帯端末を操作することを特徴とする付記１記載のデータ処理装置。
【０１０２】
（付記１５）  前記携帯端末に簡易カラオケ機能を搭載し、光ディスク装置から音楽データをＵＳＢ変換ケーブルを介して携帯端末に転送し、該携帯端末にて音と映像を再生することを特徴とする付記９記載のデータ処理装置。
【０１０３】
【発明の効果】
以上説明したように、本発明によれば、以下の効果が得られる。
（１）請求項１記載の発明によれば、携帯端末をホストとして用い、携帯端末と記憶装置間を接続する専用の変換ケーブルを用いることで、専用のホストコンピュータを用いることなく、記憶装置と携帯端末間のデータ転送を行なうことができ、かつ携帯端末では記憶装置に記憶されたデータの再生を行なうことができる。
（２）請求項２記載の発明によれば、前記変換ケーブルの代わりに、赤外線又はＢｌｕｅｔｏｏｔｈ又は無線ＬＡＮ等を用いて本発明のデータ処理システムを実現することができる。
（３）請求項３記載の発明によれば、携帯端末をホストとして光ディスク装置にデータを記憶することができ、また、光ディスク装置に記憶されているデータを読み出して携帯端末で再生することができる。
（４）請求項４記載の発明によれば、携帯端末が再生可能なデータを、記憶装置のメディアＩＤを利用してデータの記憶を行なうことができる。
（５）請求項５記載の発明によれば、記憶装置に記憶されたデータを、携帯端末からの要求により、該携帯端末のディスプレイに表示し、或いは該携帯端末で音楽を再生することができる。
【０１０４】
このように、本発明によれば、専用のホストコンピュータを用いることなく、記憶装置と携帯端末間のデータ転送を行なうことができ、かつ携帯端末では記憶装置に記憶されたデータの再生を行なうことができるデータ処理システムを提供することができる。
【図面の簡単な説明】
【図１】本発明の原理ブロック図である。
【図２】本発明の一実施の形態例を示すブロック図である。
【図３】本発明の第１の構成例を示す図である。
【図４】図３に示す装置の動作を示すフローチャートである。
【図５】本発明の第２の構成例を示す図である。
【図６】本発明の第３の構成例を示す図である。
【図７】本発明の第４の構成例を示す図である。
【図８】本発明の第５の構成例を示す図である。
【図９】本発明の第６の構成例を示す図である。
【図１０】図９に示す装置の動作を示すフローチャートである。
【図１１】本発明の第７の構成例を示す図である。
【図１２】本発明の第８の構成例を示す図である。
【符号の説明】
１  携帯端末
２  記憶装置
３  変換ケーブル
【図１】
2004229165.tif 000003
【図２】
2004229165.tif 000004
【図３】
2004229165.tif 000005
【図４】
2004229165.tif 000006
【図５】
2004229165.tif 000007
【図６】
2004229165.tif 000008
【図７】
2004229165.tif 000009
【図８】
2004229165.tif 000010
【図９】
2004229165.tif 000011
【図１０】
2004229165.tif 000012
【図１１】
2004229165.tif 000013
【図１２】
2004229165.tif 000014